(57)【要約】【課題】金属板で製作している装飾モールを、表面パネルの装飾凹部に外れないようにしっかりと固定する。【解決手段】ドアの製造方法は、表面パネル１の装飾凹部３に装飾モール２を嵌入して固定している。装飾モール２は、金属板をＮＣレーザー加工装置で切削して、外周面を酸化凹凸面５としている。表面パネル１は、金属板７の表面にクッション層４を積層している表面処理金属板８をＮＣターレットパンチプレス機１０でプレス加工して装飾凹部３を設けている。表面パネル１は、表面処理金属板８と金型１１のいずれか又は両方を所定のピッチで移動させながら、金型１１のプレス部１１ａで繰り返しプレスして装飾凹部３を設けている。装飾モール２の酸化凹凸面５を装飾凹部３の内周面のクッション層４に密着するように、装飾モール２を表面パネル１の装飾凹部３に嵌入して固定している。【選択図】  図１２
2004316300.tif 000002
【特許請求の範囲】
【請求項１】
金属板（７）をプレス加工して装飾凹部（３）を設けている表面パネル（１）の装飾凹部（３）に、表面パネル（１）と異なる色であって金属板を切削してなる装飾モール（２）を嵌入して、装飾凹部（３）の底面に装飾モール（２）を接着して固定しているドアの製造方法であって、
金属板をＮＣレーザー加工装置で切削して、レーザー切削面である外周面を酸化膜の微細な凹凸面である酸化凹凸面（５）として装飾モール（２）を製作し、
ＮＣターレットパンチプレス機（１０）でもって、金属板（７）の表面にクッション層（４）を積層してなる表面処理金属板（８）と金型（１１）のいずれか又は両方を移動させて、金型（１１）のプレス部（１１ａ）を装飾凹部（３）の周縁に沿って所定のピッチで移動させながら、金型（１１）のプレス部（１１ａ）で表面処理金属板（８）を繰り返しプレスして、クッション層（４）を内周面に設けてなる装飾凹部（３）を表面処理金属板（８）に設けて表面パネル（１）を製作し、
装飾モール（２）の周縁の酸化凹凸面（５）が、表面パネル（１）に設けた装飾凹部（３）の内周面のクッション層（４）に密着するようにして、装飾モール（２）を表面パネル（１）の装飾凹部（３）に嵌入し、さらに装飾モール（２）を装飾凹部（３）に接着して固定し、装飾凹部（３）の内周面のクッション層（４）と装飾モール（２）の外周面に設けてなる酸化凹凸面（５）とで、装飾モール（２）を表面パネル（１）の装飾凹部（３）に抜けないように固定して表面パネルを製作するドアの製造方法。
【請求項２】
装飾凹部（３）に嵌入する装飾モール（２）の表面を、表面パネル（１）の表面と同一平面とし、あるいは装飾モール（２）の表面を、表面パネル（１）の表面よりも装飾凹部（３）の内部に位置させる請求項１に記載されるドアの製造方法。
【請求項３】
装飾モール（２）を、両面接着テープ（６）を介して表面パネル（１）の装飾凹部（３）の底に接着する請求項１に記載されるドアの製造方法。
【発明の詳細な説明】
【０００１】
【発明の属する技術分野】
本発明は、表面パネルに凹部を設けて、この凹部に金属板の装飾モールを入れて美しいデザインに装飾しているドアに関する。
【０００２】
【従来の技術】
表面パネルに装飾モールを固定しているドアは、たとえば特許文献１の公報に記載される。この公報に記載されるドアは、図１の斜視図に示すように、表面パネル２１に装飾凹部２３を設けて、ここに装飾モール２２を固定している。装飾モール２２は、押出型材で断面Ｈ状に成形したものである。この装飾モール２２は、接着して装飾凹部２３に固定している。さらに、このドアは、装飾モール２２が外れるのを阻止するために、装飾モール２２の端部をモール端係止具２４でドアに連結している。モール端係止具２４は、Ｈ状の装飾モール２２の空隙に挿入する上部押え部２４Ａと、ドア本体に挿入される下部押え部２４Ｂとからなり、上部押え部２４Ａを装飾モール２２に連結して外れないようにドアに連結している。
【０００３】
【特許文献１】
実開平３−６６３８８号公報
【０００４】
【発明が解決しようとする課題】
図１のドアは、モール端係止具２４を装飾モール２２の端に連結して外れないようにドアに連結している。この構造は、装飾モールをドアの端部まで延長する必要があるので、装飾モールの形状に制約を受ける。たとえば、ドアの端部まで延長されない装飾モールは、この構造ではドアにしっかりと固定できない。さらに、この構造は、Ｈ状の装飾モールをモール端係止具で連結するので、装飾モールを金属板では製作できない。金属板は薄いので、Ｈ状に加工できないからである。装飾モールは、ドアの表面を装飾するものであるから、これを厚くしても美しいデザインにはならない。装飾モールは、製造コストを低減することからできる限り薄くすることが大切である。装飾モールをいかに薄くしても、ドアの表面を綺麗に装飾できる効果は全く低下しない。このため、薄い装飾モールを表面パネルにしっかりと固定することが大切である。
【０００５】
しかしながら、金属板を切断して製作される薄い装飾モールは、外れないように表面パネルの装飾凹部にしっかりと固定するのが非常に難しい。薄い金属板の装飾モールは曲がりやすく、また変形しやすいために、装飾凹部に接着される部分が剥離されて部分的に装飾凹部から突出することがある。とくに、ドアの温度が高くなるときなどに、装飾モールが装飾凹部から突出しやすくなる。接着材が軟化し、あるいは劣化すると共に、装飾モールが熱膨張等で変形することがあるからである。また、薄い金属板で製作している装飾モールは、安価に製造できるが、表面パネルの装飾凹部に嵌入する前工程で変形しやすい。嵌入前に変形した装飾モールは、接着材で装飾凹部に固定できるが、温度が高くなると、もとの変形した形状に復元して、装飾凹部から突出することがある。
【０００６】
とくに、能率よく装飾モールを装飾凹部に固定するために、両面接着テープを使用して装飾モールを装飾凹部に接着しているドアは、温度が高くなると、両面接着テープが軟化して、装飾モールの接着力が低下する。このため、温度が高くなると、装飾モールが装飾凹部から外部に突出する欠点がある。
【０００７】
本発明は、従来のドアが有するこのような欠点を解決することを目的に開発されたものである。本発明の重要な目的は、金属板で製作している装飾モールを、表面パネルの装飾凹部に外れないようにしっかりと固定できるドアの製造方法を提供することにある。
【０００８】
【課題を解決するための手段】
本発明のドアの製造方法は、金属板７をプレス加工して装飾凹部３を設けている表面パネル１の装飾凹部３に、表面パネル１と異なる色であって金属板を切削してなる装飾モール２を嵌入して、装飾凹部３の底面に装飾モール２を接着して固定している。この製造方法は、金属板をＮＣレーザー加工装置で切削して、レーザー切削面である外周面を酸化膜の微細な凹凸面である酸化凹凸面５として装飾モール２を製作する。さらに、ＮＣターレットパンチプレス機１０でもって、金属板７の表面にクッション層４を積層している表面処理金属板８に装飾凹部３を設けて表面パネル１を製作する。表面パネル１は、表面処理金属板８と金型１１のいずれか又は両方を移動させて、金型１１のプレス部１１ａを装飾凹部３の周縁に沿って所定のピッチで移動させながら、金型１１のプレス部１１ａで表面処理金属板８を繰り返しプレスして、クッション層４を内周面に設けてなる装飾凹部３を設けている。さらに、装飾モール２の周縁の酸化凹凸面５を表面パネル１に設けた装飾凹部３の内周面のクッション層４に密着するようにして、装飾モール２を表面パネル１の装飾凹部３に嵌入すると共に、装飾モール２を装飾凹部３に接着して固定し、装飾凹部３の内周面のクッション層４と装飾モール２の外周面に設けてなる酸化凹凸面５とで、装飾モール２を表面パネル１の装飾凹部３に抜けないように固定する。
【０００９】
本発明の請求項２のドアの製造方法は、装飾凹部３に嵌入する装飾モール２の表面を、表面パネル１の表面と同一平面とし、あるいは装飾モール２の表面を、表面パネル１の表面よりも装飾凹部３の内部に位置させている。さらに、本発明の請求項３のドアの製造方法は、装飾モール２を、両面接着テープ６を介して表面パネル１の装飾凹部３の底に接着している。
【００１０】
【発明の実施の形態】
以下、本発明の実施例を図面に基づいて説明する。ただし、以下に示す実施例は、本発明の技術思想を具体化するためのドアの製造方法を例示するものであって、本発明はドアの製造方法を下記のものに特定しない。
【００１１】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１２】
図２ないし図１１の正面図に示すドアは、表面パネル１に装飾凹部３を設けて、装飾凹部３に装飾モール２を固定している。これらの図は、装飾モール２をクロスハッチングで示している。図のドアは、表面パネル１に設けている全ての装飾凹部３に装飾モール２を固定し、あるいは一部の装飾凹部３に装飾モール２を固定している。表面パネル１は、装飾モール２を嵌入して固定するために、金属板をＮＣターレットパンチプレス機でプレス加工して装飾凹部３を設けている。表面パネル１は、図１２の一部拡大断面図に示すように、表面にクッション層４を積層している鉄等の金属板７である表面処理金属板８に装飾凹部３を設けたものである。表面パネル１の金属板７には、厚さを０．６ｍｍとする鉄板が適している。ただし、表面パネル１には、厚さを０．５〜０．８ｍｍとする金属板７が使用できる。表面パネル１は、周囲をドア枠（図示せず）に固定している。クッション層４は、プラスチックフィルム又はプラスチック塗膜である。プラスチックフィルムは、軟質の塩化ビニルフィルムである。ただ、プラスチックフィルムには、ポリエチレンフィルムやポリプロピレンフィルム等も使用できる。プラスチック塗膜は、ウレタン塗膜、アクリル塗膜等の樹脂塗装膜である。これ等のクッション層４の厚さは、０．０１〜０．３ｍｍである。クッション層４は、表面パネル１の全面に接着されて、ドアの表面を綺麗に装飾すると共に、装飾モール２を抜けないように固定する。
【００１３】
表面パネル１は、装飾モール２を固定する部分をプレス加工して装飾凹部３を設けている。図２ないし図１１のドアは、装飾凹部３の外周を直線あるいは曲線状としている。装飾凹部３は、その内形を装飾モール２の外形にほぼ等しくしている。装飾モール２の外形にほぼ等しい内形の装飾凹部３は、装飾モール２を隙間ができないように嵌入できる。ただし、本発明のドアは、必ずしも装飾モールの全周を装飾凹部の内周に隙間なく嵌入する必要はない。装飾モールと装飾凹部との境界の一部に隙間があっても、装飾モールを装飾凹部に嵌入してしっかりと固定できるからである。
【００１４】
装飾凹部３の深さは、ここに装飾モール２を嵌入して、装飾モール２を表面パネル１の表面から突出させない深さとする。すなわち、装飾凹部３に嵌入される装飾モール２の表面が表面パネル１の表面と同一平面となり、あるいは装飾モール２の表面が表面パネル１の表面よりも装飾凹部３の内部に位置するようにする。たとえば、装飾モール２に厚さを１ｍｍの金属板を使用する場合、装飾凹部３の深さを約１．５ｍｍとする。装飾凹部３を装飾モール２の厚さよりも深くするのは、装飾モール２を接着する接着剤や両面接着テープ６を入れるスペースを設けるからである。したがって、装飾凹部３は、装飾モール２の厚さに、これを接着する接着剤や両面接着テープ６の厚さをプラスした深さとする。好ましくは、装飾凹部３の深さは、１〜３ｍｍとすることができる。
【００１５】
クッション層４を接着している金属板７である表面処理金属板８が金型でプレス加工されて、装飾凹部３のある表面パネル１が製作される。プレス加工して設けられる装飾凹部３は、内面の全面にクッション層４が設けられる。装飾凹部３は、装飾凹部３と同じ形状の凸部のある金型で一度にプレスして設けられるのではない。装飾凹部３は、装飾凹部３の形状に比較して充分に小さい金型を、装飾凹部３の周縁に沿って移動させながら、繰り返しプレス加工して設けられる。装飾凹部３は、ＮＣターレットパンチプレス機の金型を繰り返しプレス加工して設けられる。ＮＣターレットパンチプレス機は、図１３に示すように、金型のプレス部１１ａを装飾凹部３の周縁に沿って所定のピッチで移動させながら、繰り返しプレスして装飾凹部３を設ける。金型のプレス部１１ａを装飾凹部３の周縁に移動させるためには、表面処理金属板８と金型１１のいずれかまたは両方を移動させる。
【００１６】
装飾凹部３のプレス加工には、図１４の断面図に示す金型１１を使用する。この金型１１は、装飾凹部３を設ける位置にプレス部１１ａを設けている上型１１Ａと、装飾凹部３を設ける位置に凹部１１ｂを設けている下型１１Ｂからなる。この金型１１は、上型１１Ａと下型１１Ｂとで表面処理金属板８を挟む状態で、プレス部１１ａを突出させて表面処理金属板８を挟んで折曲する隙間を設けている。この金型１１は、上型１１Ａのプレス部１１ａを押し出して（図において下方に突出させて）、表面処理金属板８に装飾凹部３をプレス加工する。上型１１Ａのプレス部１１ａが表面処理金属板８をプレスした後、表面処理金属板８を移動し、その後、再びプレス部１１ａで表面処理金属板８をプレスする工程を繰り返して、表面処理金属板８に装飾凹部３を設ける。表面処理金属板８を移動させるとき、上型１１Ａを上昇させて表面処理金属板８から離す。プレス部１１ａが表面処理金属板８をプレスするとき、上型１１Ａを降下させて、上型１１Ａと下型１１Ｂとで表面処理金属板８を挟着する。
【００１７】
ＮＣターレットパンチプレス機１０は、図５の概略断面図に示すように、上型１１Ａをセットする上タレット１２と、下型１１Ｂをセットする下タレット１３と、表面処理金属板８を水平の姿勢に保持するテーブル１４と、コンピュータを内蔵する制御機構に制御されて表面処理金属板８を所定のピッチでＸ軸方向とＹ軸方向に移送する移送手段１５とを備える。このＮＣターレットパンチプレス機１０は、上タレット１２と下タレット１３で表面処理金属板８を挟着する状態で、上型１１Ａのプレス部１１ａを押し出して表面処理金属板８をプレス加工する。テーブル１４の上面に供給される表面処理金属板８は、端縁を移送手段１５のクランプ１６で挟着保持して、水平の姿勢で所定のピッチだけ移送される。移送手段１５が表面処理金属板８を移送するとき、金型１１は表面処理金属板８の挟着状態を解除する。すなわち、上型１１Ａが上昇された状態で、移送手段１５は表面処理金属板８を移送させる。移送手段１５が表面処理金属板８を所定のピッチ移送する毎に、金型１１が表面処理金属板８をプレス加工して、表面処理金属板８に装飾凹部３を設ける。したがって、移送手段１５は、プレス部１１ａが装飾凹部３の周縁に沿って移動するように、表面処理金属板８を所定のピッチで移送する。移送手段１５が表面処理金属板８を移送するピッチは、プレス回数と金型１１のプレス部１１ａの形状を考慮して最適値に設定される。金型１１のプレス部１１ａが、直線に近似する装飾凹部３の周縁をプレス加工するとき、移送ピッチは約６ｍｍとする。装飾凹部３の周縁が小さい曲率半径で曲がる部分をプレス加工するとき、移送ピッチは小さくして、約１ｍｍとする。したがって、移送手段１５が表面処理金属板８を移送する移送ピッチは、０．５〜２０ｍｍ、好ましくは、１〜１０ｍｍ、最適には、１〜６ｍｍとすることができる。
【００１８】
ＮＣターレットパンチプレス機１０の金型１１を図１６〜図２１の斜視図に示す。図１６と図１８と図２０は下型１１Ｂを、図１７と図１９と図２１は上型１１Ａを示している。図１６と図１７は、装飾凹部３の直線部分をプレス加工する金型１１を示し、図１８と図１９は装飾凹部３のコーナー部分をプレス加工する金型１１を示し、図２０と図２１は装飾凹部３の湾曲部分をプレス加工する金型１１を示している。図１６と図１８と図２０の下型１１Ｂは、上面に段差形状として凹部１１ｂを設けている。図１７と図１９と図２１の上型１１Ａは、凹部１１ｂに向かって突出するプレス部１１ａを出入りできるように設けている。このプレス部１１ａは下型１１Ｂの凹部１１ｂに突出して、表面処理金属板８をプレス加工する。ただし、図１７と図１９は、プレス部１１ａの先端形状を分かりやすくするために、プレス部１１ａを突出させた状態を示している。通常、上型１１Ａのプレス部１１ａは、引き込まれた位置にあり、上型１１Ａと下型１１Ｂとで表面処理金属板８を挟着する状態で、図に示すように突出して、表面処理金属板８をプレス加工する。
【００１９】
以上の金型１１でプレスされる表面処理金属板８は、図２２の矢印で示すように、装飾凹部３を形成する方向に所定のピッチで移送されながら次々とプレスされて所定の長さの装飾凹部３がプレス加工される。ＮＣターレットパンチプレス機１０は、たとえば、１秒間に２〜４回の頻度で表面処理金属板８をプレスしながら移送する。したがって、全長を１５００ｍｍとする装飾凹部３をプレス加工する場合、表面処理金属板８の移送ピッチを５ｍｍ、ＮＣターレットパンチプレス機１０のパンチ頻度を１秒間に３回とすると、合計３００ヒットして、約２分でプレス加工できる。ただ、表面処理金属板８の移送ピッチとターレットパンチプレス機１０のパンチ頻度とヒット回数は、装飾凹部３の全長や形状に応じて種々の変更をすることができる。このように、小ピッチで多数回のプレス加工を行うＮＣターレットパンチプレス機は、種々の形状に湾曲する装飾凹部３を、専用に設計された特別な金型を使用することなく、小型の金型を使用して簡単かつ低コストに、しかも短時間でプレス加工できる特長がある。
【００２０】
さらに、図５、図８、図１０および図１１に示すドアは、装飾モール２が固定される装飾凹部３の外側に、段差凹部９を設けている。段差凹部９は、表面パネル１の表面よりも一段低く成形された段差部である。これらの図に示すドアは、この段差凹部９の底面に、この底面からさらに一段低い段差となる装飾凹部３をプレス加工して設けている。図５と図１１に示すドアは、長方形の装飾凹部３の外側に、装飾凹部３よりも大きな長方形の段差凹部９を設けている。ただ、段差凹部と装飾凹部は、必ずしも同じ形状とする必要はない。図１０に示すドアは、長方形の装飾凹部３の外側に、装飾凹部３よりも大きな長円形の段差凹部９を設けている。さらに、図示しないが、段差凹部は、円形状、楕円形状、多角形状等の種々の形状とすることができ、また、段差凹部の内側の底面には、段差凹部よりも小さく成形された種々の形状の装飾凹部を設けることができる。さらに、図８に示すように、段差凹部９の底面には、複数の装飾凹部３を設けることもできる。
【００２１】
段差凹部９は、前述の装飾凹部３と同様にプレス加工して設けることができる。すなわち、段差凹部９は、図示しないが、ＮＣターレットパンチプレス機の金型を繰り返しプレス加工して設けられる。ＮＣターレットパンチプレス機は、金型のプレス部を段差凹部の周縁に沿って所定のピッチで移動させながら、繰り返しプレスして段差凹部を設ける。金型のプレス部を段差凹部の周縁に移動させるために、表面処理金属板と金型のいずれかまたは両方を移動させることができる。段差凹部９のプレス加工においては、表面処理金属板８をプレス加工して表面に装飾凹部３を設けた後、装飾凹部３の外側部分をさらにプレス加工して段差凹部９を設けることも、表面処理金属板８をプレス加工して表面に段差凹部９を設けた後、段差凹部９の底面をさらにプレス加工して装飾凹部３を設けることもできる。このように、装飾凹部３の外側に段差凹部９を設けているドアは、ドアの表面を立体感のある優れた外観にできると共に、段差凹部９の周縁部分の模様と装飾凹部３に固定された装飾モール２との組み合わせによって、複雑で美しいデザインを実現できる特長がある。
【００２２】
装飾モール２は、表面パネル１とは異なる色の金属板を切削加工して製作される。装飾モール２は、ステンレス板が使用される。ただ、装飾モール２には、アルミニウム板やシンチュウ板も使用できる。これ等の金属板は、錆びにくいので長期間にわたって綺麗にできる特長がある。装飾モール２は、装飾凹部３に嵌入できる幅と形状に金属板を切削して製作される。いいかえると、装飾凹部３の内幅と装飾モール２の幅は、装飾モール２を装飾凹部３に隙間なく嵌入できるようにする。装飾モール２には、装飾凹部３の深さよりもわずかに薄い金属板、いいかえると、装飾凹部３の深さを装飾モール２の厚さよりもわすかに深くする。それは、装飾凹部３に嵌入している装飾モール２が表面パネル１と同一平面、ないしは表面パネル１よりも装飾凹部３の内部に位置するようにするためである。装飾モール２が装飾凹部３から突出すると、安全に使用できないからである。
【００２３】
装飾モール２は、図１２の一部拡大断面図に示すように、装飾凹部３に嵌入している両側面を酸化膜であって微細な凹凸面としている。装飾モール２が、その両面を酸化凹凸面５とするのは、装飾凹部３に抜けないように嵌入すると共に、酸化膜でもって側縁の変質を防止するためである。金属板をパルスレーザーで切削して、装飾モール２は両側面を酸化凹凸面５とすることができる。パルスレーザーで切削された両側面は、レーザーで加熱溶融されて酸化されると共に、パルスレーザーで溶融された微細な凹凸ができる。このため、パルスレーザーで切削した金属板は、その両面を鏡面に加工することなく、そのまま使用して、装飾凹部３に嵌入する。
【００２４】
パルスレーザーで金属板を切削するには、ＮＣレーザー加工装置を使用する。ＮＣレーザー加工装置は、金属板を切削加工する位置をソフトウェアで入力する。ＮＣレーザー加工装置で切削された装飾モール２は、ＮＣターレットパンチプレス機でプレス加工された装飾凹部３に嵌入される。このように、ＮＣレーザー加工装置とＮＣターレットパンチプレス機は、共に数値制御で加工寸法が入力できるため、ほぼ同じ寸法に製作することができる特長がある。したがって、この方法で製作された装飾凹部３と装飾モール２は、正確に形状が一致して、確実に嵌入できる特長がある。また、装飾凹部３の位置と装飾モール２の形状とを別々に入力する必要がなく、能率よく製作できる特長もある。ＮＣターレットパンチプレス機とＮＣレーザー加工装置は、装飾凹部３の幅と装飾モール２の幅とが同じになるように加工する。この装飾モール２は、装飾凹部３に嵌入されて、両面の酸化凹凸面５を表面パネル１のクッション層４に密着させる。このため、クッション層４と酸化凹凸面５とが互いに密着して、装飾モール２の装飾凹部３からの抜けを確実に防止する。
【００２５】
装飾モール２は、パルスレーザーによらず、ＮＣ放電加工装置で金属板を切削して製作することもできる。放電加工で切削された金属板は、パルスレーザーで切削したように切削面に凹凸面ができない。このため、放電加工して切削された金属板は、切削された両側面を砥石で切削して微細な凹凸面に加工する。このとき、砥石で擦る摩擦熱で金属板を加熱して両側面に酸化膜を形成する。
【００２６】
切削された装飾モール２は、図１２の断面図に示すように、表面パネル１の装飾凹部３に嵌入して固定される。装飾モール２は、両面接着テープ６を介して装飾凹部３に接着して固定される。装飾モールは、接着剤で装飾凹部に接着して固定することもできる。
【００２７】
【発明の効果】
本発明のドアの製造方法は、金属板で製作している装飾モールを、表面パネルの装飾凹部に外れないようにしっかりと固定できる特長がある。それは、本発明のドアの製造方法が、金属板を切削加工して外周面を酸化凹凸面とする装飾モールを製作すると共に、表面にクッション層を積層している金属板である表面処理金属板をプレス加工して、装飾モールを嵌入する装飾凹部のある表面パネルを製作しており、内周面にクッション層を有する装飾凹部に、外周面を酸化凹凸面とする装飾モールを嵌入して、酸化凹凸面をクッション層に密着させて固定しているからである。
【００２８】
とくに、本発明のドアの製造方法は、金属板をＮＣレーザー加工装置で切削して装飾モールを製作し、この装飾モールを嵌入する装飾凹部を、ＮＣターレットパンチプレス機を使用してプレス加工するので、加工寸法を数値制御で入力でき、ほぼ同じ寸法に製作することができる。このため、装飾モールと装飾凹部の両方の形状を正確に一致させて確実に嵌入できると共に、装飾凹部の位置と装飾モールの形状とを別々に入力する必要がなく、能率よく製作できる。したがって、装飾モールを装飾凹部に嵌入して、極めて高品質で綺麗なドアを能率よく製造できる特長が実現される。
【００２９】
さらにまた、本発明の製造方法は、ＮＣターレットパンチプレス機でもって、表面処理金属板と金型のいずれか又は両方を所定のピッチで移動させながら繰り返しプレス加工して装飾凹部を設けているので、種々の形状に湾曲する装飾凹部を、専用に設計された特別な金型を使用することなく、小型の金型を使用して簡単かつ低コストに、しかも短時間でプレス加工できる特長がある。
【図面の簡単な説明】
【図１】従来のドアの要部拡大斜視図
【図２】本発明の製造方法で製造されたドアの一例を示す正面図
【図３】本発明の製造方法で製造されたドアの他の一例を示す正面図
【図４】本発明の製造方法で製造されたドアの他の一例を示す正面図
【図５】本発明の製造方法で製造されたドアの他の一例を示す正面図
【図６】本発明の製造方法で製造されたドアの他の一例を示す正面図
【図７】本発明の製造方法で製造されたドアの他の一例を示す正面図
【図８】本発明の製造方法で製造されたドアの他の一例を示す正面図
【図９】本発明の製造方法で製造されたドアの他の一例を示す正面図
【図１０】本発明の製造方法で製造されたドアの他の一例を示す正面図
【図１１】本発明の製造方法で製造されたドアの他の一例を示す正面図
【図１２】本発明の製造方法で製造されたドアの表面パネルの一部拡大断面斜視図
【図１３】表面処理金属板を金型でプレス加工する工程を示す概略平面図
【図１４】表面処理金属板を金型でプレス加工する工程を示す概略断面図
【図１５】ターレットパンチプレス機の概略断面図
【図１６】装飾凹部の直線部分をプレス加工する金型の下型の一例を示す斜視図
【図１７】装飾凹部の直線部分をプレス加工する金型の上型の一例を示す斜視図
【図１８】装飾凹部のコーナー部分をプレス加工する金型の下型の一例を示す斜視図
【図１９】装飾凹部のコーナー部分をプレス加工する金型の上型の一例を示す斜視図
【図２０】装飾凹部の湾曲部分をプレス加工する金型の下型の一例を示す斜視図
【図２１】装飾凹部の湾曲部分をプレス加工する金型の上型の一例を示す斜視図
【図２２】金型で表面パネルをプレス加工する工程を示す断面図
【符号の説明】
１…表面パネル
２…装飾モール
３…装飾凹部
４…クッション層
５…酸化凹凸面
６…両面接着テープ
７…金属板
８…表面処理金属板
９…段差凹部
１０…ターレットパンチプレス機
１１…金型                    １１Ａ…上型          １１Ｂ…下型
１１ａ…プレス部      １１ｂ…凹部
１２…上タレット
１３…下タレット
１４…テーブル
１５…移送手段
１６…クランプ
２１…表面パネル
２２…装飾モール
２３…装飾凹部
２４…モール端係止具          ２４Ａ…上部押え部    ２４Ｂ…下部押え部
【図１】
2004316300.tif 000003
【図２】
2004316300.tif 000004
【図３】
2004316300.tif 000005
【図４】
2004316300.tif 000006
【図５】
2004316300.tif 000007
【図６】
2004316300.tif 000008
【図７】
2004316300.tif 000009
【図８】
2004316300.tif 000010
【図９】
2004316300.tif 000011
【図１０】
2004316300.tif 000012
【図１１】
2004316300.tif 000013
【図１２】
2004316300.tif 000014
【図１３】
2004316300.tif 000015
【図１４】
2004316300.tif 000016
【図１５】
2004316300.tif 000017
【図１６】
2004316300.tif 000018
【図１７】
2004316300.tif 000019
【図１８】
2004316300.tif 000020
【図１９】
2004316300.tif 000021
【図２０】
2004316300.tif 000022
【図２１】
2004316300.tif 000023
【図２２】
2004316300.tif 000024